(57)【特許請求の範囲】
【請求項１】
所定の情報を入力するためのキー部を有した装置における、前記キー部に対する盗撮を防止するための入力キーの盗撮防止構造であって、
前記装置の前面に対して奥行方向に凹形状をなして形成され、前記前面に開口部を有したカバー部を備え、前記カバー部の凹形状をなして形成された空間に前記キー部を有し、前記装置の前面以外の前記カバー部を形成する面が前記キー部を囲むように、前記キー部が配置され、前記カバー部は非磁性材料で形成され、前記カバー部の内側の表面はシリコンを含有した素材の層または部材により覆われている、
ことを特徴とする入力キーの盗撮防止構造。
【請求項２】
前記カバー部の内側面の表面には、複数の凹凸部が設けられている、
ことを特徴とする請求項１に記載の入力キーの盗撮防止構造。
【請求項３】
前記カバー部の開口部には、前記キー部を操作する利用者の手と前記開口部との間に生じる隙間を埋める隙間カバーが備えられている、
ことを特徴とする請求項１または２に記載の入力キーの盗撮防止構造。
【請求項４】
所定の情報を入力するためのキー部を有した装置における、前記キー部に対する盗撮を防止するための入力キーの盗撮防止構造であって、
前記装置の前面に対して奥行方向に凹形状をなして形成され、前記前面に開口部を有したカバー部を備え、前記カバー部の凹形状をなして形成された空間に前記キー部を有し、前記装置の前面以外の前記カバー部を形成する面が前記キー部を囲むように、前記キー部が配置され、前記カバー部の内側面の表面には、複数の凹凸部が設けられている、
ことを特徴とする入力キーの盗撮防止構造。
【請求項５】
前記カバー部の開口部には、前記キー部を操作する利用者の手と前記開口部との間に生じる隙間を埋める隙間カバーが備えられている、
ことを特徴とする請求項４に記載の入力キーの盗撮防止構造。
【請求項６】
所定の情報を入力するためのキー部を有した装置における、前記キー部に対する盗撮を防止するための入力キーの盗撮防止構造であって、
前記装置の前面に対して奥行方向に凹形状をなして形成され、前記前面に開口部を有したカバー部を備え、前記カバー部の凹形状をなして形成された空間に前記キー部を有し、前記装置の前面以外の前記カバー部を形成する面が前記キー部を囲むように、前記キー部が配置され、前記カバー部の開口部には、前記キー部を操作する利用者の手と前記開口部との間に生じる隙間を埋める隙間カバーが備えられている、
ことを特徴とする入力キーの盗撮防止構造。
【請求項７】
前記カバー部は、奥行方向に狭くなるように傾斜した形状である、
ことを特徴とする請求項１〜６のいずれか１項に記載の入力キーの盗撮防止構造。
【請求項８】
前記カバー部の側面は、Ｒ形状またはテーパ形状である、
ことを特徴とする請求項１〜７のいずれか１項に記載の入力キーの盗撮防止構造。
【請求項９】
前記装置は、利用者からの操作を受け付ける操作パネルを有し、前記カバー部は、前記装置内部から前記操作パネルに固定されている、
ことを特徴とする請求項１〜８のいずれか１項に記載の入力キーの盗撮防止構造。
【請求項１０】
請求項１〜９のいずれか１項に記載された入力キーの盗撮防止構造を有したことを特徴とする自動取引装置。
【発明の詳細な説明】
【技術分野】
【０００１】
本発明は、自動取引装置等の装置において入力される暗証番号等の入力キーの盗撮を防止する構造、および自動取引装置に関するものである。
【背景技術】
【０００２】
従来、自動取引装置等の装置で入出金等の取引を行う場合、カードを挿入して、暗証番号を入力することで取引を行うことが出来るが、現金自動取引装置では、装置と壁の隙間を塞ぐ枠やＡＴＭ（Automated  teller  machine）を収納したブースの天井部に盗撮カメラを取付けられ、犯罪者に暗証番号を盗み取られると、スキミングによるカード情報取得で不正に偽造したカードやカード強盗により不正に現金を引き出される可能性がある。これを解決する為、暗証番号入力キー全体を覆うカバーを設けている。このカバーの内部に利用者からの死角になる部分があり、その部分に盗撮カメラを取付けられても利用者は気付かないため、暗証番号を盗み取られる危険性がある。このため、カバー内部の表面を凸凹やＲ形状にして盗撮カメラの取付けを抑止する方法や、入力キー上面の壁にルーバー形状のスリットを設けて操作者からは内部のキーが確認でき、装置と壁の隙間を塞ぐ枠に取付けられた盗撮カメラからはキーを撮影できなくする方法がある（例えば、特許文献１）。
【先行技術文献】
【特許文献】
【０００３】
【特許文献１】特開２００８−２８７６４６号公報
【発明の概要】
【発明が解決しようとする課題】
【０００４】
しかしながら、屋外設置時の装置と壁の隙間を塞ぐ枠や、ＡＴＭを収納したブースの天井部に付けられた盗撮カメラによる暗証番号の盗み取りを防止する覗き見防止カバーの、入力キーの上面を不透明な素材で完全に覆うカバー形状にすると、利用者の視認性が悪くなり、死角も増え、覗き見防止カバーの内部に盗撮カメラを取り付けられても気付かない。また、両面テープでの取付け防止の目的で覗き見防止カバーの内部の形状を凸凹やＲ形状にした場合でも、貼付け面を同形状にすることや、厚みのある両面テープで貼り付けられる可能性がある。
【０００５】
また、覗き見防止カバー上部の壁にルーバー形状のスリットを設けた場合、操作者の目線の位置で見え方が異なることにより死角は減るが完璧ではなく、盗撮カメラが取付けられていても、操作者が気付かない場合がある。また、スリットを利用しカメラを引っ掛けて取付けられる。また、スリットを設けることで強度不足となり、イタズラにより破壊される可能性もある。
【０００６】
本発明の目的は、上記に鑑みてなされたものであって、利用者の視認性、操作性を損なうことなく暗証番号の盗み取りを防止可能な入力キーの盗撮防止構造、および自動取引装置を提供することにある。
【課題を解決するための手段】
【０００７】
上述した課題を解決し、目的を達成するために、本発明にかかる入力キーの盗撮防止構造は、所定の情報を入力するためのキー部を有した装置における、前記キー部に対する盗撮を防止するための入力キーの盗撮防止構造であって、前記装置の前面に対して奥行方向に凹形状をなして形成され、前記前面に開口部を有したカバー部を備え、前記カバー部の凹形状をなして形成された空間に前記キー部を有し、前記装置の前面以外の前記カバー部を形成する面が前記キー部を囲むように、前記キー部が配置されている、ことを特徴とする。
【０００８】
また、本発明は、上記構造を有した自動取引装置である。
【発明の効果】
【０００９】
本発明によれば、利用者の視認性、操作性を損なうことなく暗証番号の盗み取りを防止可能な入力キーの盗撮防止構造、および自動取引装置を提供することができる。
【図面の簡単な説明】
【００１０】
【図１】本実施形態にかかる自動取引装置のブロック図である。
【図２】本実施形態にかかる自動取引装置の外観構成図である。
【図３】本実施形態における覗き見防止カバー部９の実装状態図である。
【図４】本実施形態における顧客操作パネル４５と覗き見防止カバー１３を装置内部から見た斜視図である。
【図５】本実施形態における覗き見防止カバーへの非粘着層の範囲を示した図（矢視Ａ）である。
【図６】本実施形態における入力装置３を中心とした側面からの断面図である。
【図７】本実施形態における入力装置上部からの断面図。（Ｂ-Ｂ）である。
【図８Ａ】本実施形態にかかる覗き見防止カバー部９の正面からの断面図（Ｃ−Ｃ）である。
【図８Ｂ】本実施形態にかかる覗き見防止カバー部９の側面からの断面図（Ｄ-Ｄ）である。
【図９】二実施形態の覗き見防止カバー部９の正面からの断面図（Ｃ-Ｃ）である。
【図１０】二実施形態の覗き見防止カバー部９の正面からの断面図（Ｃ-Ｃ）である。
【図１１】本実施形態にかかる覗き見防止カバー部９の側面からの断面図（Ｄ-Ｄ）である。
【図１２】覗き見防止カバー１３とその内部に置く事の出来る、盗撮カメラ４２を仕込んだ盗撮カメラ付カバー４１の斜視図である。
【図１３】覗き見防止カバー１３の内部に盗撮カメラ付カバー４１を置かれた場合の正面の断面図である。
【図１４】本実施形態にかかる覗き見防止カバー１３に光学センサを配置した斜視図である。
【発明を実施するための形態】
【００１１】
以下に添付図面を参照して、本発明にかかる入力キーの盗撮防止構造の実施の形態を詳細に説明する。以下では、本発明にかかる入力キーの盗撮防止構造を、金融機関システムに採用されている、例えばＡＴＭ１０００（Automated  teller  machine）のような自動取引装置に適用した場合について説明しているが、入力キーにより暗証番号等を入力する機構を有した装置であれば、これに限定されるものではない。
【００１２】
図１は、本実施形態にかかる自動取引装置のブロック図である。図１に示すように、自動取引装置１は、正当な操作者（例えば、金融機関の顧客）に対して現金の出金機能又は入出金機能を有する装置であり、その構成として、装置内の各部を制御する制御部２、操作者による操作入力を行う入力装置３、現金取引のためのガイダンスを表示する表示部４、操作者のキャッシュカードを受け入れて処理するカード取引ユニット５、現金取引の結果を印字した明細票を発行する明細発行ユニット６、自動取引装置１が接続されたホストコンピュータとの通信を行う通信部７、操作者に対して紙幣を入出力する紙幣取引ユニット８を有している。
【００１３】
制御部２は、上述した自動取引装置１の各部を制御すると共に、上位のホストコンピュータとの情報通信を制御する。また、ホストコンピュータを通信して操作者の暗証番号を検証する。また、自動取引装置１は、異物検知カメラ３８や光学センサ３９、４０を有し、制御部２は、これらのカメラやセンサが入力装置３付近の異物を検知した場合に、制御部２が取り扱い中止等の制御を行なう。
【００１４】
図２は、顧客側から見た場合における自動取引装置１の外観構成図である。自動取引装置１は、建物の壁面やブースに埋め込まれて設置される。図２に示すように、自動取引装置１では、省スペースや雨対策として取引科目の表示や操作ガイダンスを表示する表示部４が、装置の前面にほぼ垂直に設置される。また、暗証番号や取引に必要な入力を行う入力装置３のキー入力部の上部、左右を覆う、覗き見を防止する覗き見防止カバー９を設けている。取引科目の選択は、表示部４の左右に配置した選択キー１０を操作することで行なわれる。
【００１５】
カード取引ユニット５は、キャッシュカードの磁気ストライプに記憶された情報を読み取る。このカードには金融機関番号、利用者の口座番号などが記録されており、この情報は、取引対象となる口座の特定、操作者の認証などに用いられる。紙幣取扱ユニット８は、利用者に対して紙幣の授受を行う。紙幣取扱ユニット８は紙幣の入金時には、利用者が挿入した紙幣を鑑別して金種ごとに分類して装置内に保管する。また、出金時には利用者の指定した金額分の紙幣を繰り出して入金口から操作者に放出する。明細発行ユニット６は、操作者の取引に従い、支払金額、入金金額、残高等の取引内容及び取引日時を明細票に印字し排出する。
【００１６】
図３は、本実施形態にかかる覗き見防止カバー部９の実装状態を説明する図である。図３に示すように、通常、暗証番号や取引に必要な情報の入力を行う入力装置３は、顧客操作パネル４５の内側（奥行側）に凹ませて配置した、覗き見防止カバー部９に形成された略水平の面上に実装されている。覗き見防止カバー部９は、入力装置３の入力キー部３−１を操作者側から見て、その上方、左側方、右側方および後側方の４方面を包囲する壁を有する。
【００１７】
すなわち、覗き見防止カバー部９は、自動取引装置１の前面に垂直あるいは傾斜して設けられた顧客操作パネル４５を奥行側に削る等して、前面側に顧客の手を挿入するための開口部（図３に示した例では８角形の形状をしている）を有して凹形状をなした空間を形成し、その空間に入力装置３の入力キー部３−１を配置して、顧客が操作する手の周囲を包み込むようになっている。本実施形態での入力装置３の実装位置は操作者側から見て、自動取引装置１の左右両側から同じ間隔となるように、自動取引装置１の中央に配置しているが、その位置は、自動取引装置１の中央よりも前後、左右、上下のいずれの位置にあってもよい。なお、図３に示すように、覗き見防止カバー部９は、奥行方向に進むにつれて奥行側に傾斜して狭くなっているので、この部分に盗撮カメラが設置された場合であっても、死角となりにくい形状となっている。
【００１８】
図４、５は、本実施形態における覗き見防止カバー部９の構成を説明する図である。図４は、顧客操作パネル４５と覗き見防止カバー１３を装置内部から見た斜視図であり、図５は、覗き見防止カバーへの非粘着層の範囲を示した図（矢視Ａ）である。図４に示すように、顧客操作パネル４５にはボス１１を数ヶ所設け、後方からの覗き見を防止するため、あるいは自動取引装置１本体に取り付けられた枠１８の側面に盗撮カメラを付けられた場合の暗証番号の盗撮を防止するためのガード１６を設けている。
【００１９】
すなわち、ガード１６は、覗き見防止カバー部９の開口部に顧客が手を挿入した場合に、開口部と顧客の手との間の隙間を覆うものであり、板状の部材等によって構成される。このガード１６は、装置内部より取り外し可能な構造としておく。覗き見防止カバー１３には固定用の穴１５を有するフランジ１４を設け、ネジ１２で顧客操作パネル４５のボス１１に固定する。本実施形態での顧客操作パネル４５への覗き見防止カバー１３の固定方法は、一体化されたボス１１、フランジ１４の形状にしているが、固定方法や固定箇所はいずれの方法、箇所であってもよい。
【００２０】
図５に示すように、利用者側から見て、その上方、左側方、右側方、前側方および後側方の５方面（すなわち、覗き見防止カバー部９の開口部以外の凹形状をなした部分の内側の表面）の入力装置３を包囲する壁を示す斜線部には、非粘着性の高い層１７を設ける。非粘着性の高い層１７は、シリコン系のコーティングを施すか、非粘着性シートを貼付けても良い。シリコン系のコーティングを施す面は、予め凸凹形状にするか、粒状の鉄やシリカ等を吹き付けて基材に密着させた後、シリコン系のコーティングを施すことで接着面積が減り、更に非粘着性が向上する。これにより、入力装置３を包囲する壁に暗証番号の盗撮を目的としたカメラを両面テープ等で貼り付け様としても正しく貼り付かず、盗撮カメラは、自重や利用者の操作時に盗撮カメラに触れることによって、すぐに落下し、盗撮を防止することができる。
【００２１】
また、針を突き刺すことによる盗撮カメラの取付けを防止するため、コーティングを施す面をブラシ状の構造にした後、シリコン系のコーティングを施すこととしてもよい。さらに、コーティングした面をディンプル加工した形状（あるいは、逆ピラミッド型に凹んだ形状等、内側表面に凹凸を設けた形状）とすることも可能である。この場合、紙やすり等によって摩擦係数を大きくして滑りにくくする行為に対する耐性を向上させることができ、盗撮カメラの取り付けを防止することができる。
【００２２】
さらに、図４に示したように、非粘着性の高い層１７を設けたガード１６と覗き見防止カバー１３を装置の内側から取外し可能な構造とすることで、イタズラで容易に外されることは無く、また、非粘着性の高い層１７を削り取られても容易に交換が可能である。また、顧客操作パネル４５と覗き見防止カバー１３は、樹脂か磁石の付かない材料にすることで、磁石による盗撮カメラの取り付けも防止できる。
【００２３】
図６、７は、枠に取付けられた盗撮カメラを想定した、入力装置３の実装位置を示す図である。図６は、本実施形態にかかる入力装置３を中心とした自動取引装置１の側面からみた場合の断面図であり、図７は、本実施形態にかかる入力装置３の上方からの断面図（Ｂ-Ｂ）である。
【００２４】
図６に示すように、壁１９に取付けられた枠１８の上部先端に、入力装置３の入力キーを盗み取りする目的の盗撮カメラ２０を取り付けられた場合を想定し、表示部４の下側の突出部２４により盗撮カメラの撮影範囲２２に入力装置３が入らない位置と、例えば、利両者の身長によって定まる利用者の目線２１の範囲２３（利用者が視認できる範囲）との間に入力装置３を配置し、覗き見防止カバー部９の開口寸法を決めることで、操作者の視認性を妨げることなく、盗撮カメラ２０で盗撮されることもない。
【００２５】
また、図７に示すように、壁１９に取付けられた枠１８の右側先端に、入力装置３の入力キーを盗み取りする目的の盗撮カメラ２５を取り付けられた場合を想定し、覗き見防止カバー部９の開口部にガード１６を設け、盗撮カメラの撮影範囲２６に入らない位置（すなわち、図７に示す例では、盗撮カメラ２５とガード１６の左端を結んだ線分の延長方向よりも右側の位置Ｒ）に入力装置３を配置することで、盗撮カメラ２５で盗撮されることはがなくなる。図７に示した本実施形態での盗撮カメラ２５の想定位置は、枠１８の右側先端としているが、枠１８の左側先端に盗撮カメラ２５が設置された場合であっても、ガード１６と入力装置３の関係は、右側に盗撮カメラ２５が設置された場合からみて対称となるような実装条件とすることにより、同様の効果を得ることができる。
【００２６】
図８Ａは、覗き見防止カバー部９の正面からの断面図（Ｃ−Ｃ）であり、図８Ｂは、覗き見防止カバー部９の側面からの断面図（Ｄ-Ｄ）を示す図である。図８Ａ、８Ｂに示すように、覗き見防止カバー部９の内部は、盗撮カメラの両面テープ以外での取付けを想定し、例えば、突っ張り機構３１により盗撮カメラが設置された場合の、その取付けを防御する。
【００２７】
通常、突っ張り機構３１は、バー２８にネジ部となる溝２９があり、つまみ３０を矢印（ａ）方向に回転させることで、つまみ３０が矢印（ｂ）方向に移動し、覗き見防止カバー部９の左右壁にバー２８とつまみ３０が押し付けられることで、突っ張り機構３１が設置される位置を保つことができる。このような突っ張り機構３１に盗撮カメラ２７を取り付けたものを盗撮防止カバー部９の内部に取り付けることを防ぐ為、図８Ａに示すように、本実施形態においては、覗き見防止カバー部９の上部角に面取り面３３を設けている。これにより、盗撮カメラ２７を設けた突っ張り機構３１を、操作者からの死角となる（ｃ）位置に取付けようとしても、面取り３３により、つまみ３０とバー２８が押し付ける力は下側へ逃げて取り付けることは出来ない。
【００２８】
なお、盗撮防止カバー部９の垂直の壁となる（ｄ）部には突っ張り機構３１を取付けることは可能だが、側面からの断面図（Ｄ-Ｄ）の様に利用者の手３２が、盗撮カメラ２７を設けた突っ張り機構３１と当たり、操作の妨げとなり利用者は不審物が付いていることに気付いてしまうため望ましくない。また、図８Ｂに示すように、覗き見防止カバー部９の内部の空間に照明ユニット３６が設けられている場合には、その照明ユニット３６が有する平面部に盗撮カメラ２７を取り付けることが容易となるが、照明ユニット３６が利用者の視界に入る部位に実装された場合には、利用者は盗撮カメラ２７が取り付けられていることに付いていることに気付いてしまうため望ましくない。
【００２９】
続いて、上述した実施形態の覗き見防止カバー部９の変形例について説明する。図９、１０は、変形例における覗き見防止カバー部９の正面からの断面図（Ｃ-Ｃ）を示す図である。図９に示す例では、覗き見防止カバー部９の側面の上部角はＲ形状３５にすることで、図８と同様の突っ張り機構３１に対する防御ができる構成となっている。また、図１０に示す例では、覗き見防止カバー部９の側面の左右の壁に、台形形状となるテーパー３４を設けることにより、図８と同様の突っ張り機構３１に対する防御ができる構成となっている。
【００３０】
図１１は、本実施形態にかかる覗き見防止カバー部９の側面からの断面図（Ｄ-Ｄ）を示す図である。図１１に示す例では、覗き見防止カバー部９に、両面テープ、磁石、針、突っ張り機構等以外で、異物検知カメラ３８を取付けられた場合の防御方法を示している。図１１に示すように、覗き見防止カバー１３の内部を撮影できる撮影範囲４６となる位置に異物検知カメラ３８を設置する。このような構成とすることにより、覗き見防止カバー１３の利用者の死角となる天井面に盗撮カメラ３７を取り付けられた場合、異物検知カメラ３８が盗撮カメラ３７を撮像して異物を検知した場合に、制御部２は、例えば、自動取引装置１の取引の取り扱いを停止させることにより、盗撮カメラ３７による盗撮を防止することが可能となる。
【００３１】
図１２〜１４は、上述した覗き見防止カバー部９において、その内部の非粘着性の高い層や開口部の形状によらず盗撮カメラが設置された場合に対する防御方法を示す図である。図１２は、覗き見防止カバー１３とその内部に設置可能な盗撮カメラ４２を仕込んだ盗撮カメラ付カバー４１の斜視図である。また、図１３は、覗き見防止カバー１３の内部に盗撮カメラ付カバー４１を置かれた場合の正面の断面図である。また、図１４は、覗き見防止カバー１３に光学センサを配置した斜視図を示す図である。
【００３２】
非粘着性の高い層や開口部の形状によらず盗撮する場合、図１２に示すような覗き見防止カバー１３の内部に置くことのできる大きさ、形状の盗撮カメラ付カバー４１を、矢印（ｅ）方向に移動し、覗き見防止カバー１３内部に置き、盗撮カメラ付カバー４１に、入力キー４４を撮影できる盗撮カメラ撮影範囲４３を有する盗撮カメラ４２を仕込まれている。この場合、図１３に示すように、その断面は、本来の覗き見防止カバーと略相似形状となっているため、利用者が気付かない違和感の無い形状で盗撮カメラによって盗撮されてしまう。これを防御する為、図１３、１４に示すように、光学センサ（発光）３９、光学センサ（受光）４０を設け、発光側の光学センサから発せられた光が受光側の光学センサに到達しない場合（すなわち、遮光された場合）に、制御部２は、盗撮カメラ付カバー４１が設置されたものと判定し、自動取引装置１の取引の取り扱いを停止させることにより、盗撮カメラ３７による盗撮を防止することが可能となる。
【００３３】
このように、キー入力を覆う覗き見防止カバーは樹脂かアルミ等の磁石の付かない材料を使用し、装置本体の操作部パネルをへこませて形成している。また、覗き見防止カバーの入力キー側の表面全体に、ディンプル形状等による１または２以上の凹凸部分を設けたり、粒状の鉄粉やシリカ粉を噴きつけて凹凸を形成し、更にシリコンを含有した素材のコーティングを施したり、あるいは入力キー側の表面全体にシリコンを含有した素材の部材を取付けることとしてもよい。この場合、より効果的に入力キーの覗き見防止するカバーの内部への盗撮カメラの取付けを防止することができる。
【００３４】
さらに、覗き見防止カバーは側面と上面を曲面でつないだ形状もしくは、側面が上に向かって狭くなるテーパーを設けた形状にし、装置本体の操作パネルに、装置内部から固定したり、装置内部には覗き見防止カバーの内部に向けて異物を検知できるセンサを設けることも可能である。
【００３５】
このように、本実施の形態における入力キーの盗撮防止構造では、自動取引装置等の暗証番号等の入力キーの盗撮防止を行う場合において、利用者の視認性、操作性を損なわず、屋外設置時の装置と壁の隙間を塞ぐ枠や、ブース設置時の上部（例えば、ＡＴＭを収納したブースの天井部）に取付けられた盗撮カメラによる盗撮を防止し、入力キーの覗き見防止するカバーの内部への盗撮カメラの取付けによる盗撮を防止し、暗証番号の盗み取りを防止することが可能となる。
【００３６】
本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【００３７】
１：自動取引装置
２：制御部
３：入力装置
３−１：入力キー部
４：表示部
５：カード取引ユニット
６：明細発行ユニット
７：通信部
８：紙幣取引ユニット
９：覗き見防止カバー部
１０：選択キー
１１：ボス
１２：ネジ
１３：覗き見防止カバー
１４：フランジ
１５：穴
１６：ガード
１７：非粘着性の高い層
１８：枠
１９：壁
２０：盗撮カメラ
２１：利用者の目線
２２：盗撮カメラの撮影範囲
２３：利用者が見える範囲
２４：突出部
２５、２７、３７、４２：盗撮カメラ
２６、４３：盗撮カメラの撮影範囲
２８：バー
２９：ネジ部となる溝
３０：つまみ
３１：突っ張り機構
３２：利用者の手
３３：面取り面
３４：テーパー
３５：覗き見防止カバー部の上部角の形状
３６：照明ユニット
３８：異物検知カメラ
３９：光学センサ（発光）
４０：光学センサ（受光）
４１：盗撮カメラ付カバー
４４：入力キー
４５：顧客操作パネル
４６：撮影範囲。
【図１】
0005593248.tif 000002
【図２】
0005593248.tif 000003
【図３】
0005593248.tif 000004
【図４】
0005593248.tif 000005
【図５】
0005593248.tif 000006
【図６】
0005593248.tif 000007
【図７】
0005593248.tif 000008
【図８Ａ】
0005593248.tif 000009
【図８Ｂ】
0005593248.tif 000010
【図９】
0005593248.tif 000011
【図１０】
0005593248.tif 000012
【図１１】
0005593248.tif 000013
【図１２】
0005593248.tif 000014
【図１３】
0005593248.tif 000015
【図１４】
0005593248.tif 000016